(57)【要約】      （修正有）【課題】電子的に車椅子構成要素のスケジュールを決めるシステム及び方法を提供する。【解決手段】個人用車椅子構成要素を識別し、個人用車椅子構成要素の乗員のイベントのための場所を決定し、イベントの少なくとも一つの部分のために個人用車椅子構成要素と適合するように組み合わさるレンタル用車椅子構成要素のスケジュールを決める。同様に、レンタル用車椅子構成要素が個人用車椅子構成要素と組み合わされたとき、車椅子の設定が実装のために通信される。【選択図】図７
2019164760.tif 000002
【特許請求の範囲】
【請求項１】
電子的に車椅子構成要素のスケジュールを決める方法であって、
コンピューティングデバイスが、個人用車椅子構成要素を識別することと、
前記コンピューティングデバイスが、前記個人用車椅子構成要素の乗員のイベントのための場所を決定することと、
前記コンピューティングデバイスが、前記イベントの少なくとも一つの部分のために前記個人用車椅子構成要素と適合するように組み合わさるレンタル用車椅子構成要素のスケジュールを決めることと、
を含み、
前記レンタル用車椅子構成要素が前記個人用車椅子構成要素と組み合わされたとき、車椅子の設定が実装のために通信される、方法。
【請求項２】
前記個人用車椅子構成要素は、椅子構成要素及び動力付基部構成要素のうちの少なくとも一つを含む、請求項１に記載の方法。
【請求項３】
前記レンタル用車椅子構成要素は、椅子構成要素及び動力付基部構成要素のうちの少なくとも一つを含む、請求項１に記載の方法。
【請求項４】
前記イベントは、往復旅行及び片道旅行のうちの少なくとも一つを含む、請求項１に記載の方法。
【請求項５】
前記イベントは、一度だけの訪問及び定期的な訪問のうちの少なくとも一つを含む、請求項１に記載の方法。
【請求項６】
前記イベントは、旅行を含み、前記レンタル用車椅子構成要素のスケジュールを決めることは、前記旅行の出発の詳細を受信することと、他の個人用車椅子構成要素に関する保管の詳細を受信することと、前記旅行の復路の詳細を受信することと、前記レンタル用車椅子構成要素に関する要求されたデバイスの詳細を受信することと、のうちの少なくとも一つを含む、請求項１に記載の方法。
【請求項７】
前記イベントは、訪問を含み、前記レンタル用車椅子構成要素のスケジュールを決めることは、前記イベントの前記場所の識別を受信することと、前記場所での時間を受信することと、前記乗員が前記レンタル用車椅子構成要素を利用することになる期間を受信することと、前記レンタル用車椅子構成要素に関する要求されたデバイスの詳細を受信することと、前記乗員のための特別な要求を受信することと、のうちの少なくとも一つを含む、請求項１に記載の方法。
【請求項８】
電子的に車椅子構成要素のスケジュールを決めるシステムであって、
個人用車椅子構成要素と適合するように組み合わさるレンタル用車椅子構成要素であって、車椅子コンピューティングデバイスを含む、レンタル用車椅子構成要素と、
リモートコンピューティングデバイスであって、前記リモートコンピューティングデバイスによって実行されるときに、前記システムに、
前記個人用車椅子構成要素を識別することと、
前記個人用車椅子構成要素の乗員のためのイベントの場所を決定することと、
前記イベントの少なくとも一つの部分のために前記個人用車椅子構成要素と適合するように組み合わさる前記レンタル用車椅子構成要素のスケジュールを決めることと、
のうちの少なくとも一つを実行させるロジックを含む、リモートコンピューティングデバイスと、を含み、
前記レンタル用車椅子構成要素が前記個人用車椅子構成要素と連結されるとき、前記車椅子コンピューティングデバイスは、前記レンタル用車椅子構成要素にイベント関連データを前記乗員に対して通信させる、システム。
【請求項９】
前記イベント関連データは、前記個人用車椅子構成要素と前記乗員によって操作される携帯デバイスとのうちの少なくとも一つを介して、前記乗員に通信される、請求項８に記載のシステム。
【請求項１０】
前記イベント関連データは、前記乗員が前記レンタル用車椅子構成要素を取得するためのデータと、前記乗員が前記レンタル用車椅子構成要素を返却するためのデータと、前記イベントに関連付けられた前記場所を案内するためのデータと、のうちの少なくとも一つを含む、請求項８に記載のシステム。
【請求項１１】
前記個人用車椅子構成要素は、椅子構成要素と、動力付基部構成要素と、のうちの少なくとも一つを含む、請求項８に記載のシステム。
【請求項１２】
前記レンタル用車椅子構成要素は、椅子構成要素と、動力付基部構成要素と、のうちの少なくとも一つを含む、請求項８に記載のシステム。
【請求項１３】
前記イベントは、往復旅行及び片道旅行のうちの少なくとも一つを含む、請求項８に記載のシステム。
【請求項１４】
前記イベントは、一度だけの訪問及び定期的な訪問のうちの少なくとも一つを含む、請求項８に記載のシステム。
【請求項１５】
前記イベントは、旅行を含み、前記レンタル用車椅子構成要素のスケジュールを決めることは、前記旅行の出発の詳細を受信することと、他の個人用車椅子構成要素に関する保管の詳細を受信することと、前記旅行の復路の詳細を受信することと、前記レンタル用車椅子構成要素に関する要求されたデバイスの詳細を受信することと、のうちの少なくとも一つを含む、請求項８に記載のシステム。
【請求項１６】
前記イベントは、訪問を含み、前記レンタル用車椅子構成要素のスケジュールを決めることは、前記イベントの前記場所の識別を受信することと、前記場所での時間を受信することと、前記乗員が前記レンタル用車椅子構成要素を利用することになる期間を受信することと、前記レンタル用車椅子構成要素に関する要求されたデバイスの詳細を受け取ることと、前記乗員のための特別な要求を受信することと、のうちの少なくとも一つを含む、請求項８に記載のシステム。
【請求項１７】
電子的に車椅子構成要素のスケジュールを決めるシステムであって、
リモートコンピューティングデバイスであって、前記リモートコンピューティングデバイスによって実行されるときに、前記システムに、
個人用車椅子構成要素を識別することと、
前記個人用車椅子構成要素の乗員のためのイベントの場所を決定することと、
前記イベントの少なくとも一つの部分のために前記個人用車椅子構成要素と適合するように組み合わさるレンタル用車椅子構成要素のスケジュールを決めることと、
のうちの少なくとも一つを実行させるロジックを含む、リモートコンピューティングデバイスと、を含み、
前記レンタル用車椅子構成要素が前記個人用車椅子構成要素と連結されるとき、車椅子コンピューティングデバイスは、前記レンタル用車椅子構成要素にイベント関連データを前記乗員に対して通信させ、
前記レンタル用車椅子構成要素が前記個人用車椅子構成要素と組み合わされたとき、車椅子の設定が実装のために通信される、システム。
【請求項１８】
前記イベント関連データは、前記個人用車椅子構成要素と前記乗員によって操作される携帯デバイスとのうちの少なくとも一つを介して、前記乗員に通信される、請求項１７に記載のシステム。
【請求項１９】
前記イベント関連データは、前記乗員が前記レンタル用車椅子構成要素を取得するためのデータと、前記乗員が前記レンタル用車椅子構成要素を返却するためのデータと、前記イベントに関連付けられた前記場所を案内するためのデータと、のうちの少なくとも一つを含む、請求項１７に記載のシステム。
【請求項２０】
前記イベントは、往復旅行及び片道旅行のうちの少なくとも一つを含む、請求項１７に記載のシステム。
【発明の詳細な説明】
【技術分野】
【０００１】
本明細書に記載された実施形態は、概して、電子的に車椅子構成要素のスケジュールを決めるシステム及び方法に関し、より詳細には、移動する車椅子の乗員のために動力付基部構成要素のレンタル及びスケジュール決めを容易にする実施形態に関する。
【背景技術】
【０００２】
様々な動力付車椅子の供給者がいる一方で、各々がそれらの能力において異なり、大抵の動力付車椅子はフィット感及び機能の両方において特定のユーザにカスタマイズされ得る。一例として、ある動力付車椅子は、組み立てモジュール式であり、椅子構成要素及び動力付基部構成要素を含む。これは、異なる椅子構成要素が異なる動力付基部構成要素と組み合わせられ得ることを意味する。椅子構成要素は、特定のユーザのためにカスタマイズされ得る。
【０００３】
そのような動力付車椅子を用いた移動は、動力付車椅子がそのサイズに起因して大きな積荷スペースを要求するため、負担になる場合がある。公共の交通機関（飛行機、地下鉄、電車及びボート／フェリーなど）を用いた移動は、更なる負担及び制限さえももたらす。多くの場合、特に空の旅では、車椅子は、椅子を適切に操作することに慣れてない人によって移動され及び扱われる必要があるであろう。これは、電動椅子の損傷及び潜在的な無力化を頻繁にもたらす。従って、業界にニーズが存在する。
【発明の概要】
【０００４】
電子的に車椅子構成要素のスケジュールを決めるシステム及び方法が提供される。方法の一実施形態は、個人用車椅子構成要素を識別することと、個人用車椅子構成要素の乗員のイベントのための場所を決定することと、を含む。ある実施形態は、イベントの少なくとも一つの部分のために個人用車椅子構成要素と対応して組み合わせるためのレンタル用車椅子構成要素のスケジュールを決めるために構成される。同様に、ある実施形態では、レンタル用車椅子構成要素が個人用車椅子構成要素と組み合わされたとき、車椅子の設定が実装のために通信される。
【０００５】
他の実施形態では、電子的に車椅子構成要素のスケジュールを決めるシステムは、個人用車椅子構成要素と適合するように組み合わさるレンタル用車椅子構成要素を含み、レンタル用車椅子構成要素は、車椅子コンピューティングデバイスを含む。そのシステムはまた、リモートコンピューティングデバイスであって、リモートコンピューティングデバイスによって実行されるときに、システムに、個人用車椅子構成要素を識別することと、個人用車椅子構成要素の乗員のためのイベントの場所を決定することと、イベントの少なくとも一つの部分のために個人用車椅子構成要素と適合するように組み合わさる前記レンタル用車椅子構成要素のスケジュールを決めることと、のうちの少なくとも一つを実行させるロジックを含む、リモートコンピューティングデバイスを含む。ある実施形態では、レンタル用車椅子構成要素が個人用車椅子構成要素と連結されるとき、車椅子コンピューティングデバイスは、レンタル用車椅子構成要素にイベント関連データを乗員に対して通信させる。
【０００６】
さらに他の実施形態では、システムは、リモートコンピューティングデバイスであって、リモートコンピューティングデバイスによって実行されるときに、システムに、個人用車椅子構成要素を識別することと、個人用車椅子構成要素の乗員のためのイベントのための場所を決定することと、イベントの少なくとも一つの部分のために個人用車椅子構成要素と適合するように組み合わさる前記レンタル用車椅子構成要素のスケジュールを決めることと、のうちの少なくとも一つを実行させるロジックを含む、リモートコンピューティングデバイスを含む。
【０００７】
本開示の実施形態によって提供されるこれら及び追加の特徴は、図面と共に、以下の詳細な説明の観点からより十分に理解されるであろう。
【図面の簡単な説明】
【０００８】
【図１】図１は、本明細書に記載された実施形態に係る、車椅子を構成するためのコンピューティング環境を示す図である。
【図２】図２は、本明細書に記載された実施形態に係る、車椅子の斜視図である。
【図３】図３は、本明細書に記載された実施形態に係る、車椅子のレンタルを容易にするためのユーザインターフェースを示す図である。
【図４】図４は、本明細書に記載された実施形態に係る、車椅子の訪問のレンタルを提供するためのユーザインターフェースを示す図である。
【図５】図５は、本明細書に記載された実施形態に係る、車椅子の旅行のレンタルを提供するためのユーザインターフェースを示す図である。
【図６】図６は、本明細書に記載された実施形態に係る、電子的に車椅子構成要素のスケジュールを決めるためのフローチャートを示す。
【図７】図７は、本明細書に記載された実施形態に係る、電子的に車椅子構成要素を貸し出すためのフローチャートを示す。
【図８】図８は、本明細書に記載された実施形態に係る、電子的に車椅子構成要素のスケジュールを決めるための車椅子の詳細を示す図である。
【発明を実施するための形態】
【０００９】
図面において明らかにされる実施形態は、本質的に例示的及び典型的なものであり、本開示を限定することを意図したものではない。例示的な実施形態の以下の詳細な説明は、図面と共に読まれると理解されることができ、同様の構造は同様の参照番号で示される。
【００１０】
本明細書に開示された実施形態は、電子的に車椅子構成要素のスケジュールを決めるシステム及び方法を含む。この開示のある実施形態は、動力付車椅子のユーザに関する移動調整のためのレンタルシステム及び方法を提供する。これは、ユーザが一つの出発場所で動力付基部構成要素（又は他の車椅子構成要素）を預け、目的場所でレンタル用動力付基部構成要素を用いることを可能にする。これら実施形態は、動力付基部構成要素のためのアプリケーション及び／又はサービスを利用することができる。椅子構成要素は特定のユーザのためにカスタマイズされることが多いため、椅子構成要素はユーザと共に移動することになるであろう。動力付基部ユニットは、典型的により汎用的なものであり、様々な椅子構成要素と共に使用するために設計され得る。ユーザは、最終目的場所で適切な動力付基部のレンタルを調整することができ、動力付基部と共に移動する必要はない。他の車椅子構成要素のレンタルはまた、本明細書において検討される。
【００１１】
実施形態はまた、選択するための動力付基部（又は他の車椅子構成要素）の様々なオプション、様々なレンタル期間、並びに受取及び引渡場所を提供することもできる。これら好み及び選択は、アプリケーションを用いて調整され得る。アプリケーションを介して要求された動力付基部構成要素は、その後供給されるか、又はそうでなければ到着空港のターミナルのゲート、地下鉄の駅、バス停などの特定の場所及び時間で利用可能になり得る。アプリケーションは、適切な動力付基部構成要素が利用可能ではない可能性がある場合にユーザに知らせることもでき、他の手配がなされる必要がある。様々な態様では、アプリケーションは、レンタル用動力付基部のための様々な構成及び要求される設定を提供することができる。
【００１２】
一例では、車椅子の乗員が飛行機でデトロイトからロサンゼルスに移動している。
車椅子の乗員は、通常通り、出発空港に到着することができる。出発ゲートで、個人用車椅子構成要素は、車椅子の他の部分（動力付基部構成要素など）から取り外され得る。動力付基部構成要素は、出発空港での適切な場所で保管され得る。目的地空港に到着すると、レンタル用車椅子構成要素（レンタル用動力付基部構成要素など）は、適切なターミナル／ゲートで待機していて、乗員の個人椅子構成要素と共にいつでも使用される状態になり得る。帰路では、レンタル用車椅子構成要素は出発ゲートで取り外され、車椅子の乗員の個人用動力付基部構成要素は到着ゲートで待機しているであろう。
【００１３】
ある実施形態では、別々の「空港」又は一時的な動力付基部構成要素を用いて、ユーザの乗り物から出発空港のターミナル／ゲートにユーザの椅子構成要素を輸送することができ、ユーザの動力付基部はユーザの乗り物に保管され得る。同様に、他の「空港」の動力付基部構成要素を用いて、到着空港のターミナル／ゲートから目的地の乗り物又は公共交通機関の引渡地点にユーザの椅子構成要素を輸送することができ、要求された動力付基部は準備を整えて待機している。同じものを組み込んだ電子的に車椅子構成要素のスケジュールを決めるシステム及び方法は、以下に詳細に記載されるであろう。
【００１４】
ここで図面を参照すると、図１は、本明細書に記載された実施形態に係る、車椅子を構成するためのコンピューティング環境を示す。例示されるように、コンピューティング環境は、ネットワーク１００を含む。ネットワーク１００は、インターネット、公衆交換電話網、セルラネットワーク、モバイルデータネットワーク、及び／又は同種のもの、例えばWiMax（登録商標）、LTE、4G、5Gなどを介するものなどの広域ネットワーク（WAN）を含むことができる。ネットワーク１００は、（例えばイーサネット（登録商標）などを介した）有線ネットワークなどのローカルネットワーク、（Wi-Fi（登録商標）などを介した）無線ネットワークを含むことができる。ネットワーク１００は、同様に、ブルートゥース（登録商標）、Zigbee（登録商標）等を介するような直接的なデバイス間通信を容易にすることができる。いずれにせよ、ネットワーク１００は、車椅子１０２、携帯デバイス１０４及びリモートコンピューティングデバイス１０６を連結するように構成され得る。
【００１５】
車椅子１０２は、乗員を受けるため且つ少なくとも一つの身体障害に適合するための任意の動力付デバイスとすることができる。車椅子１０２は、メモリ構成要素１４０を含むことができるコンピューティングデバイス１３０などの、車椅子コンピューティングデバイスとすることができる。メモリ構成要素１４０は、スケジューリングロジック１４４ａ及び実装ロジック１４４ｂを格納することができる。接続ロジックは、以下でより詳細に記載されるように、車椅子１０２の椅子部分と動力付基部部分との接続を容易にすることができる。実装ロジック１４４ｂは、車椅子１０２の乗員固有の設定を実装するように構成され得る。以下に詳細に説明されるように、乗員固有の設定を実装することは、車椅子１０２の任意の物理的特性を変えることを含むことができる。一例として、乗員固有の設定は、バランス、速度制限、高さ、重量配分、年齢、能力水準、及び／又は乗員の処方薬に関連付けられ得る。
【００１６】
携帯デバイス１０４は、携帯電話、タブレット、ラップトップ、パーソナルコンピュータ、及び／又は本明細書に記載された機能性を提供するための他のデバイスとして構成され得る。携帯デバイス１０４は、車椅子１０２の乗員固有の設定を格納するため且つ乗員固有の設定をコンピューティングデバイス１３０に通信するために構成され得る。加えて、携帯デバイス１０４は、携帯デバイス１０４及び／又はリモートコンピューティングデバイス１０６を介して、ユーザ及び／又はヘルスケア提供者から乗員固有の設定を受信するために構成され得る。そのため、ある実施形態は、携帯デバイス１０４が乗員によって持ち運ばれ得るように構成され得る。
【００１７】
リモートコンピューティングデバイス１０６は、携帯デバイス１０４及び／又はコンピューティングデバイス１３０と通信するように構成され得る。リモートコンピューティングデバイス１０６は、パーソナルコンピュータ、サーバ、ラップトップ、携帯コンピューティングデバイス、並びに／又は乗員固有の設定に関連付けられたデータを通信及び／若しくは格納するための他のデバイスとして構成され得る。
【００１８】
図２は、本明細書に記載された実施形態に係る、車椅子１０２の斜視図である。例示されるように、車椅子１０２は、動力付基部構成要素２２０及び椅子構成要素２２２を含む。動力付基部構成要素２２０は、椅子受インターフェース２２４と、複数の非電動車輪２２８ａと、複数の電動車輪２２８ｂと、バッテリ２３０と、モータ２３２と、コンピューティングデバイス１３０と、を含むことができる。椅子受インターフェース２２４は、椅子構成要素２２２の基部受インターフェース２３４を受けるためのオス型、メス型、又は他の種類の物理的コネクタとして構成され得る。基部受インターフェース２３４は、椅子受インターフェース２２４と基部受インターフェース２３４との間の物理的接続が動力付基部構成要素２２０を椅子構成要素２２２に取り外し可能に固定することができるように、椅子受インターフェース２２４と向かい合って構成され得る。加えて、椅子受インターフェース２２４は、動力付基部構成要素２２０と椅子構成要素２２２との間の通信及び／又は電気的接続を容易にして、椅子構成要素２２２の電源供給及び／又は動力付基部構成要素２２０と椅子構成要素２２２との間のデータ通信を容易にすることもできる。
【００１９】
加えて、椅子構成要素２２２は、基部受インターフェース２３４と、座席部分２３６と、コントローラ部分２３８と、を含むことができる。ある実施形態では、椅子構成要素２２２はまた、動力を供給されることもできる。座席部分２３６は、乗員の位置を決定するために、重量センサ、近接センサ、熱センサ、ジャイロスコープ等を含む一つ又は複数のセンサを含むことができる。コントローラ部分２３８は、ジョイスティック、マウスコントロール、及び／又は車椅子１０２を制御するための他の機構を含むことができる。
【００２０】
（座席部分２３６を含む）椅子構成要素２２２が従来型の椅子として構成され得る一方で、これは単なる一例であることを理解されるべきである。ある実施形態では、椅子構成要素２２２及び／又は座席部分２３６は、外骨格（exoskeleton）、固定された（standing）構成要素、ブレインインターフェースデバイス、及び／又は乗員の物理的な能力を向上させるための他の構成として構成され得る。
【００２１】
車椅子１０２の移動は、階段、カーブ及び変化に富んだ地形を昇降する間にユニットのバランスを維持するように、コントローラ部分２３８を介して容易にされ、高性能なセンサ及びジャイロスコープによって実装され得る。特に、車椅子１０２は、直立した高さでの目線まで着席しているユーザを持ち上げ、２つの車輪上でバランスをとって移動することができる。
【００２２】
図３は、本明細書に記載された実施形態に係る、車椅子１０２のレンタルを容易にするためのユーザインターフェース３３０を示す。例示されるように、ユーザインターフェース３３０は、訪問のレンタルのオプション３３２及び旅行のレンタルのオプション３３４を提供する。特に、車椅子１０２の乗員は、訪問又は旅行などのイベントに取り掛かることができる。訪問のレンタルのオプション３３２のユーザ選択に応じて、追加のオプションが、特定の場所で動力付基部構成要素２２０を必要としている車椅子の乗員に関連付けられて提供され得る。訪問は、ショッピングモール、競技大会などへの一度だけの訪問を含むことができ、又は自宅若しくはオフィスなどの定期的な訪問であってもよい。同様に、旅行は、片道旅行又は往復旅行とすることができる。
【００２３】
以下で詳細に記載されるように、訪問は、乗員が単一の場所でレンタル用車椅子構成要素を利用し又は目的地で単一の車椅子構成要素を使用する任意のイベントを含むことができる。旅行は、ユーザが一つ又は複数の車椅子構成要素を利用して目的地に到着又は目的地から戻る任意のイベントを含むことができる。旅行はまた、乗員が目的地でレンタル用車椅子構成要素を利用することを含むこともできる。
【００２４】
旅行のレンタルのオプション３３４の選択に応じて、追加のオプションが、車椅子の乗員が行く予定の旅行に関連付けられて提供され得る。例えば、飛行機の旅行、バスの旅行、ボートの旅行などが含まれ得る。これら例では、車椅子の乗員は、乗員が目的地に移動し、出発場所に戻ることができるように、旅行の各工程のための（レンタル用動力付基部構成要素などの）複数のレンタル用車椅子部分を必要とする場合がある。
【００２５】
図４は、本明細書に記載された実施形態に係る、車椅子１０２の訪問のレンタルを容易にするためのユーザインターフェース４３０を示す。例示されるように、ユーザインターフェース４３０は、時間及び場所のオプション４３２と、期間のオプション４３４と、デバイスの詳細のオプション４３６と、特別な要求のオプション４３８と、を含むことができる。
【００２６】
時間及び場所オプション４３２のユーザ選択に応じて、ユーザが訪問の時間及び場所を入力するための追加のオプションが提供され得る。一例として、ユーザは、車椅子の乗員が2019年1月1日午後2:00にアメリカのモールにいる予定であることを入力することができる。期間のオプション４３４の選択に応じて、追加のオプションが、車椅子の乗員がアメリカのモールにいる予定の（又はそうでなければ動力付基部構成要素２２０若しくは他のレンタル用車椅子構成要素を必要とする予定の）期間に関連付けられる。加えて、ユーザは、これが定期的な訪問であるか及び／又はこれが一度だけの方法であるかを入力することができる。
【００２７】
デバイスの詳細のオプション４３６の選択に応じて、ユーザは、ユーザがレンタルすることを望むレンタル用車椅子構成要素に関連付けられた追加のオプションを提供され得る。ある実施形態では、これは、ユーザが所望のレンタル用動力付基部構成要素２２０を選択するための、利用可能な動力付基部構成要素モデルのリスト、検索能力、評価などを提供することを含んでもよい。同様に、ある実施形態は、ユーザが他の車椅子構成要素をレンタルするためのオプションを提供するように構成され得る。これは、ユーザが椅子構成要素２２２のみ、椅子構成要素２２２及び動力付基部構成要素２２０、並びに／又は椅子構成要素２２２及び／若しくは動力付基部構成要素２２０への付属物をレンタルすることを望むシナリオを含んでもよい。同様に、ある実施形態はユーザの所望のニーズに関連付けられたオプションを提供してもよく、システムは適切なレンタル用車椅子構成要素を自動的に決定することができる。一例として、ユーザは、コントローラの種類、予想される移動距離、予想される使用時間、地形、車椅子利用者の制限、および／または他のデータなどのオプションを選択することができる。
【００２８】
特別な要求のオプション４３８のユーザ選択に応じて、追加のオプションが、車椅子の乗員が要求する可能性がある任意の特別な要求をユーザが入力するために提供され得る。一例として、ユーザは、レンタル用車椅子構成要素を受け取る及び引渡す場所及び方法、乗員についての識別情報、並びに／又は乗員が取引を完了するのを助けることになる他の特別な情報を指定することができる。そのため、携帯デバイス１０４、リモートコンピューティングデバイス１０６、及び／又はコンピューティングデバイス１３０は、イベントの場所の識別、その場所での時間、乗員がレンタル用車椅子構成要素を利用することになる期間、レンタル用車椅子構成要素に関する要求されたデバイスの詳細、及び／又は乗員のための特別な要求を受信することができる。
【００２９】
図５は、本明細書に記載された実施形態に係る、車椅子１０２の旅行のレンタルを容易にするためのユーザインターフェース５３０を示す。上述したように、旅行のレンタルの実施形態は、旅行のレンタルの実施形態が典型的に複数の場所でレンタル用車椅子構成要素の利用を調整するという点でイベントのレンタルの実施形態とは異なり得る。そのため、ユーザインターフェース５３０は、出発の詳細のオプション５３２と、保管の詳細のオプション５３４と、デバイスの詳細のオプション５３６と、復路の詳細のオプション５３８と、を含む。
【００３０】
出発の詳細のオプション５３２の選択に応じて、旅行の出発に関連した追加のオプションが提供され得る。一例として、ユーザは、日付、時間、フライト、場所、旅行確認番号、及び／又は車椅子の乗員の旅行が始まるとき及び場所を識別するための他のデータを提出することができる。ある実施形態では、ユーザは、空港、バスターミナル、駅などに関連したデータを入力することができる一方で、他の実施形態では、ユーザは、車椅子の乗員の自宅の住所を入力することができることが理解されよう。一例として、ある車椅子の乗員が、車椅子構成要素を自宅に持っていきひいては自宅から旅行（従ってレンタル用車椅子構成要素の利用）を開始することを望む場合がある。
【００３１】
いずれにせよ、出発の詳細のオプション５３２を介して提供される情報は、選択された車椅子構成要素の受け取りを調整するために利用され得る。一例として、ユーザが、出発地としてアトランタハーツフィールド空港を入力する場合がある。そのような例では、実施形態は、選択された時間及びアトランタハーツフィールド空港の所定の場所で（例えば、車椅子の乗員が空港に向かった乗り物で）、車椅子の乗員に利用可能な選択されたレンタル用車椅子構成要素を得ることができる。車椅子の乗員は、次に、受け取った車椅子構成要素を利用して適切なゲートに移動することができる。
【００３２】
実施形態は、旅行の様々な部分（section）での車椅子構成要素のスケジュール決めを含み得ることを理解されよう。一例として、車椅子の乗員が中間地点で乗り継ぎをしている場合、ユーザは、車椅子の乗員が彼／彼女の最終目的地に到着するまで、この情報を同様に入力することができる。
【００３３】
保管の詳細のオプション５３４の選択に応じて、ユーザは、車椅子の乗員の個人用車椅子構成要素の保管に関する情報及び／又はレンタルされた車椅子構成要素に関する保管情報を提供することができる。前述の例を参照すると、ユーザは、車椅子の乗員がアトランタハーツフィールド空港にいる間には彼／彼女の個人用車椅子構成要素を利用するが目的地ではレンタルされた車椅子構成要素が必要になることを指定する場合がある。そのため、車椅子の乗員は、旅行中に彼／彼女の個人用車椅子構成要素を保管することが必要となり、ユーザはそれを指示することができる。ある実施形態では、ユーザは、レンタルされた車椅子構成要素が空港で受け取られる予定であるが車椅子の乗員が戻るまで空港で保管されるべきであることを指示することができる。ユーザが飛行機にレンタルされた車椅子構成要素を持ち込むことを計画する場合、ユーザはこれも同様に示すことができる。
【００３４】
復路の詳細のオプション５３８の選択に応じて、帰路に関する追加のオプションが提供され得る。一例として、ユーザは、出発の詳細のオプション５３２に関連付けられたものと同様に、帰路の各部分に関する情報を入力することができる。
【００３５】
デバイスの詳細のオプション５３６の選択に応じて、ユーザは、上述したように、レンタルされた車椅子構成要素に関するデバイスの詳細を提供することができる。ある実施形態では、ユーザは、旅行の各部分に関する複数の異なるデバイス／構成要素を入力することができる。一例として、ある実施形態は、車椅子の乗員がレンタルされた車椅子構成要素と共に移動する代わりに、旅行の各部分で利用可能な異なるレンタル用車椅子構成要素（又は車椅子構成要素の種類）を得るように構成され得る。従って、ユーザは、アトランタハーツフィールド空港で利用されている車椅子構成要素に関する第一デバイスの詳細と、目的地の空港で利用されている車椅子構成要素に関する第二デバイスの詳細と、を入力することができる。帰路に関するデバイスの詳細も、提供され得る。そのため、携帯デバイス１０４、リモートコンピューティングデバイス１０６、及び／又はコンピューティングデバイス１３０は、旅行の出発の詳細、他の個人用車椅子構成要素に関する保管の詳細、旅行の復路の詳細、及び／又はレンタル用車椅子構成要素に関する要求されたデバイスの詳細を受信することができる。
【００３６】
デバイスの詳細は、ユーザの個人用車椅子構成要素に関する情報を含むことができることを理解されるべきである。この情報を用いて、実施形態は、車椅子の乗員に利用可能な適合する（compatible）レンタル用構成要素を決定することができる。
【００３７】
本明細書に記載された実施形態は、レンタル用車椅子構成要素から車椅子の乗員へのイベント関連データ及び他のデータの通信を容易にするように構成され得ることも理解されるべきである。この通信は、携帯デバイス１０４を介して及び／又は個人用車椅子構成要素を介してなされ得る。一例として、個人用車椅子構成要素がレンタル用車椅子構成要素と組み合わせられると、レンタル用車椅子構成要素は、乗員がレンタル用車椅子構成要素を返却するためのデータ、イベントに関連付けられた場所を案内するためのデータ、及び／又は他のデータを提供することができる。
【００３８】
一例として、乗員が旅行中に空港でレンタル用車椅子構成要素と個人用車椅子構成要素を組み合わせる場合、レンタル用車椅子構成要素は、乗員の次のフライトの場所を判定し、フライト状況、ゲート、及びそのゲートへの経路指定の指示を提供することができる。この情報は、リモートコンピューティングデバイス１０６から受信されてもよく、及び／又はコンピューティングデバイス１３０にローカルに格納されていてもよい。
【００３９】
図６は、本明細書に記載された実施形態に係る、電子的に車椅子構成要素のスケジュールを決めるためのフローチャートを示す。ブロック６５０に例示されるように、個人用動力付基部構成要素２２０が識別され得る。ブロック６５２では、車椅子の乗員のための出発場所が決定され得る。ブロック６５４では、目的場所が決定され得る。ブロック６５６では、レンタル用動力付基部構成要素２２０は、椅子構成要素２２２と連結するための目的場所にレンタル用動力付基部構成要素２２０が配置され得るように委任され得る。ここで、レンタル用動力付基部構成要素２２０は、椅子構成要素２２２に対する少なくとも一つの設定を通信するように構成される。
【００４０】
図７は、本明細書に記載された実施形態に係る、車椅子構成要素を電子的に貸し出すためのフローチャートを示す。ブロック７５０に例示されるように、車椅子構成要素が識別され得る。特に、実施形態は、車椅子の乗員の車椅子の詳細を決定し且つ対応するレンタル用車椅子構成要素を決定するように構成され得る。ある実施形態は、対応するレンタル用車椅子構成要素を決定するときにイベントを考慮することもできる。一例として、地形、時間、距離などは、推奨されるレンタル用車椅子構成要素に影響を与えてもよい。ブロック７５２では、旅行の出発場所及び他の出発の詳細が決定され得る。ブロック７５４では、旅行の目的場所及び他の目的地の詳細が決定され得る。ブロック７５６では、旅行の少なくとも一つの部分で車椅子構成要素と適合するように（compatibly）組み合わさるレンタル用車椅子構成要素のレンタルのスケジュールが決められ得る。
【００４１】
図８は、本明細書に記載された実施形態に係る、電子的に車椅子構成要素のスケジュールを決めるための車椅子の詳細を示す。コンピューティングデバイス１３０は、プロセッサ８３０と、入力／出力ハードウェア８３２と、ネットワークインターフェースハードウェア８３４と、（乗員データ８３８ａ、椅子データ８３８ｂ、及び／又は他のデータを格納する）データ格納構成要素８３６と、メモリ構成要素１４０と、を含む。メモリ構成要素１４０は、揮発性及び／又は不揮発性メモリとして構成することができ、そのため、（SRAM、DRAM、及び／又は他の種類のRAMを含む）ランダムアクセスメモリ、フラッシュメモリ、セキュアデジタル（SD）メモリ、レジスタ、コンパクトディスク（CD）、デジタル多用途ディスク（DVD）、及び／又は他の種類の非一時的コンピュータ可読媒体を含むことができる。特定の実施形態に応じて、これら非一時的コンピュータ可読媒体は、コンピューティングデバイス１３０内及び／又はコンピューティングデバイス１３０の外部に存在することができる。
【００４２】
メモリ構成要素１４０は、オペレーティングロジック８４２と、スケジューリングロジック１４４ａと、実装ロジック１４４ｂと、を格納することができる。スケジューリングロジック１４４ａ及び実装ロジック１４４ｂは、それぞれ、複数の異なるロジックを含むことができ、その各々は、一例として、コンピュータプログラム、ファームウェア、及び／又はハードウェアとして具体化され得る。ローカル通信インターフェース８４６は、図８にも含まれ、コンピューティングデバイス１３０の構成要素間の通信を容易にするためにバス又は他の通信インターフェースとして実装され得る。
【００４３】
プロセッサ８３０は、（データ格納構成要素８３６及び／又はメモリ構成要素１４０からなどの）命令を受信及び実行するように動作可能な任意の処理構成要素を含むことができる。上述したように、入力／出力ハードウェア８３２は、車椅子１０２の構成要素とのインターフェースを含むことができ、及び／又は車椅子１０２の構成要素とインターフェースで接続するように構成され得る。
【００４４】
ネットワークインターフェースハードウェア８３４は、アンテナ、モデム、ＬＡＮポート、Wi-Fi（wireless fidelity）カード、WiMaxカード、ブルートゥースチップ、USBカード、携帯通信ハードウェア、並びに／又は他のネットワーク及び／若しくはデバイスと通信するための他のハードウェアを含む任意の有線又は無線ネットワーキングハードウェアを含むことができ、及び／又はこの任意の有線又は無線ネットワーキングハードウェアと通信するように構成され得る。この接続から、インターネットを介するなどして、コンピューティングデバイス１３０と他のコンピューティングデバイスとの間の通信が容易にされ、本明細書に記載された機能性が提供され得る。
【００４５】
オペレーティングロジック８４２は、コンピューティングデバイス１３０の構成要素を管理するためのオペレーティングシステム及び／又は他のソフトウェアを含むことができる。また上述したように、コンテンツスケジューリングロジック１４４ａは、メモリ構成要素１４０内に存在することができ、プロセッサ８３０に、椅子構成要素２２２と動力付基部構成要素２２０との間の容易な通信を提供させるように構成され得る。ある実施形態では、スケジューリングロジック１４４ａは、車椅子１０２と、携帯デバイス１０４及び／又はリモートコンピューティングデバイス１０６などの不変の構成要素との間の通信を容易にすることができる。同様に、実装ロジック１４４ｂは、上述したように、椅子構成要素２２２をカスタマイズするために利用され得る。
【００４６】
図８における構成要素がコンピューティングデバイス１３０内に存在するように例示される一方で、これは単なる一例であることを理解されるべきである。ある実施形態では、構成要素の一つ又は複数は、コンピューティングデバイス１３０の外部に存在することができる。コンピューティングデバイス１３０が単一のデバイスとして例示される一方で、これもまた単なる一例であることも理解されるべきである。ある実施形態では、スケジューリングロジック１４４ａ及び実装ロジック１４４ｂは、異なるコンピューティングデバイスに存在することができる。一例として、本明細書に記載された機能性及び／又は構成要素の一つ又は複数は、携帯デバイス１０４、リモートコンピューティングデバイス１０６など、他のコンピューティングデバイスによって提供され得る。
【００４７】
加えて、コンピューティングデバイス１３０がスケジューリングロジック１４４ａ及び実装ロジック１４４ｂを別個のロジック構成要素として例示される一方で、これもまた一例である。ある実施形態では、単一のロジックは、コンピューティングデバイス１３０に、記載された機能性を提供させることができる。加えて、リモートコンピューティングデバイス１０６及び／又は携帯デバイス１０４は、同様のハードウェア及びソフトウェアを含むことができる。
【００４８】
上述したように、車椅子構成要素のスケジュールを決めるための様々な実施形態が開示される。これら実施形態は、車椅子全体と共に移動する負担をかけることなく、車椅子の乗員がより容易に移動するための機構を提供する。加えて、実施形態は、レンタル用車椅子構成要素と組み合わされたときに車椅子の乗員に以前では利用できなかった情報を提供することができる。
【００４９】
本開示の特定の実施形態及び態様を本明細書で例示及び記載してきたが、本開示の精神及び範囲から逸脱することなく様々な他の変更及び修正がなされ得る。さらに、本明細書では様々な態様が記載されてきたが、そのような態様は組み合わせて利用される必要はない。従って、添付の特許請求の範囲は、本明細書に示され及び記載された実施形態の範囲内にある全てのそのような変更及び修正を網羅することをそれ故意図したものである。
【００５０】
本明細書に開示される実施形態は、電子的に車椅子構成要素のスケジュールを決めるシステム、方法、及び非一時的コンピュータ可読媒体を含むことを直ちに理解されるべきである。これら実施形態は、単なる例示であり、本開示の範囲を限定することを意図したものではないこともまた理解されるべきである。
【図１】
2019164760.tif 000003
【図２】
2019164760.tif 000004
【図３】
2019164760.tif 000005
【図４】
2019164760.tif 000006
【図５】
2019164760.tif 000007
【図６】
2019164760.tif 000008
【図７】
2019164760.tif 000009
【図８】
2019164760.tif 000010
【外国語明細書】
2019164760000001.pdf